(57)【要約】 【課題】商品を収容したまま開封して陳列する直方体のカートンの上部を囲むように取り付け可能で前面にＰＯＰの表示部を有する四角筒状の表示体であって、上記カートンの展示の向きを前面が長辺または短辺となるように変えた場合に、上記ＰＯＰ表示部の位置を変えずに上記カートンに対応させて取り付けることができる表示体を提供する。【解決手段】陳列カートンの展示の向きを前面が長辺または短辺となるように変えた場合に、表示体に設けられた二通りの折れ目線として、４本の第１折れ目線のＡと４本の第２折れ目線のＢを使い分けることによって、ＰＯＰの表示部の位置を変えずに、上記カートンに対応させて取り付け、取り替えを行うことができる【選択図】  図１
2019005318.tif 000002
【特許請求の範囲】
【請求項１】
商品を収容したまま開封して陳列する直方体形状のカートンの上部を囲むように取り付けられる、正面板、左右の側面板および背面板を有する四角筒状の表示体であって、
前記正面板の側を前方として前後に短い状態の場合には、前記表示体の四角筒状の外周方向の前記正面板の部分の長さをｙ、前記側面板の部分の長さをｘとし、前記正面板の両端と前記左右の側面板との間、および前記背面板の両端と前記左右の側面板との間に、設けられた４本の第１折れ目線を有し、
前記正面板の側を前方とし前後に長い状態にするために、前記表示体の四角筒状の外周方向の前記正面板の部分の長さをｘ、前記側面板の部分の長さをｙとし、前記正面板の両端と前記左右の側面板との間、および前記背面板の両端と前記左右の側面板との間に、設けられた４本の第２折れ目線を有し、
前記４本の第１折れ目線を用いて隣接する板が直角になるように折り曲げることにより前後方向に短い四角筒状となり、前記４本の第２折れ目線を用いて隣接する板が直角になるように折り曲げることにより、前後方向に長い四角筒状となることを特徴とする
表示体。
【請求項２】
少なくとも前記正面板に表示部が連接して設けられていることを特徴とする請求項１に記載の表示体。
【発明の詳細な説明】
【技術分野】
【０００１】
本発明は、前面にＰＯＰ（Point of Purchase advertising）表示部を有する四角筒状の表示体であって、商品を収容したまま開封して陳列する直方体のカートンの上部を囲むように取り付け可能で、カートンの前面が短辺又は長辺となるように向きを変えても、ＰＯＰ表示部が前面を向いたままカートンに対応させて取り付けることができる表示体に関する。
【背景技術】
【０００２】
現在、直方体のカートンに収容した商品を開封した状態で店頭に陳列する方法は、ディスカウント販売で大量販売される商品などに、最も利用されているものの一つである。販売者側にとって、商品を一品ずつ取出さないので作業量を削減し商品補充と撤収を容易に行うことができるが、一方、その商品を売り場で目立たせるため、商品名や絵柄が書かれているＰＯＰ表示面を顧客の通路側にカートンの向きを合せるなど調整が必要である。また、店頭では陳列場所は限られているので、作業性とともに他社商品との差別化を図り、カートンの向きを変えてもＰＯＰ表示面の視認性、注目性が変わらないことが求められている。
【０００３】
特許文献１では、天面板内を切り離した状態のまま店頭陳列する際に、正面板側から天面を開封して後面板の上端から直立する又は傾斜状態に起立保持した状態の天面板内から表示板部分をさらに上方に起立させることができる表示板付段ボール箱が提案されている。
【０００４】
特許文献１は、天面板の上端縁からさらに上方に起立させたＰＯＰ表示板を形成することができるが、例えば、特許文献１において後面板側に表示板を起立させた場合、段ボール箱の向きは正面板側を顧客の通路側に置くことを必要とするものであり、向きを変えた場合にはＰＯＰ表示板を正面からみることができず展示効果は得られないものである。
特許文献２では、商品を陳列するために収納する容器本体からなり、該容器本体が回収されて再度使用される商品陳列容器において、前記容器本体に表示体を着脱自在に取付可能な表示体取付可能な表示体取付部が設けられていることが提案されている。
特許文献２は、容器本体の表示体取付部に着脱自在に取付可能な表示体を使用することができるが、表示体は容器本体と一体的な形態ではなく、即ち容器本体を囲むように筒状の形態ではなく、さらに、容器本体の向きを変えたときに表示体の向きを調整するとの記載も示唆もありません。たとえ容器本体の向きに応じた表示体の向きの調整の可能性があるとしても、そのために容器本体の表示体取付部を予め複数個所に設ける必要があるものである。
【先行技術文献】
【特許文献】
【０００５】
【特許文献１】特開２０１３−１５１２９８号公報
【特許文献２】登実３０３４００５号公報
【発明の概要】
【発明が解決しようとする課題】
【０００６】
本発明は、商品を収容したまま開封して陳列する直方体のカートンの上部を囲むように取り付け可能で前面にＰＯＰ表示部を有する四角筒状の表示体であって、上記カートンの展示の向きを前面が長辺または短辺となるように変えた場合に、上記ＰＯＰ表示部の位置を変えずに上記カートンに対応させて取り付けることができる表示体を提供する。
【課題を解決するための手段】
【０００７】
上記の課題を解決する本発明は、商品を収容したまま開封して陳列する直方体形状のカートンの上部を囲むように取り付けられる、正面板、左右の側面板および背面板を有する四角筒状の表示体であって、前記正面板の側を前方として前後に短い状態の場合には、前記表示体の四角筒状の外周方向の前記正面板の部分の長さをｙ、前記側面板の部分の長さをｘとし、前記正面板の両端と前記左右の側面板との間、および前記背面板の両端と前記左右の側面板との間に、設けられた４本の第１折れ目線を有し、
前記正面板の側を前方とし前後に長い状態にするために、前記表示体の四角筒状の外周方向の前記正面板の部分の長さをｘ、前記側面板の部分の長さをｙとし、前記正面板の両端と前記左右の側面板との間、および前記背面板の両端と前記左右の側面板との間に、設けられた４本の第２折れ目線を有し、前記４本の第１折れ目線を用いて隣接する板が直角になるように折り曲げることにより前後方向に短い四角筒状となり、前記４本の第２折れ目線を用いて隣接する板が直角になるように折り曲げることにより、前後方向に長い四角筒状となることを特徴とする表示体である。
また、前記表示体は、少なくとも前記正面板に表示部を連接して設けていてもよい。
【発明の効果】
【０００８】
本発明の表示体によれば、商品を収容したまま開封して陳列する直方体のカートンの上部を囲むように取り付けることができ、前面にＰＯＰ表示部を有しており、上記カートンの展示の向きを前面が長辺または短辺となるように変えた場合に、上記ＰＯＰ表示部の位置を変えずに四角筒状の折目を変えて上記カートンに対応させて取り付けることができる。
本発明の表示体は、カートンを囲むように取り付けられて、ＰＯＰ表示部は内容物をアピールする位置に配置されるので、デザイン上より大きな訴求効果が得られる。
また、本発明の表示体は、取り付け、取り外しが簡単で、例えば、カートンの内容物とカートンの内壁との間に差し込むことによって取り付けられるので、店頭においてカートンを何段かに積み上げた最上段に取り付け、販売状況に応じて下段のカートンに容易に差し替えることができる。
【図面の簡単な説明】
【０００９】
【図１】本発明に係る前後に短い状態の表示体、及びその使用状態を示す斜視図である。
【図２】本発明に係る前後に長い状態の表示体、及びその使用状態を示す斜視図である。
【図３】上記の図１及び図２に示す表示体を組み立てるブランクの展開図である。
【発明を実施するための形態】
【００１０】
図面を参照して、本発明の実施形態について説明する。
図１（１）上方は、本発明の表示体であって、前後に短い状態の表示体１０の斜視図、図１（１）下方は、前後に短い状態の内容物入りのカートン２０の斜視図である。
図１（２）は、内容物入りのカートン２０に取り付けられた表示体１０の使用状態１００の斜視図である。ここでは、表示体１０がカートン２０の内壁と内容物２１との間に差し込むように取り付けられた例が示されている。
図２（１）上方は、本発明の表示体であって、前後に長い状態の表示体１０の斜視図、図１（１）下方は、前後に長い状態の内容物入りのカートン２０の斜視図である。
図２（２）は、内容物入りのカートン２０に取り付けられた表示体１０の使用状態１００の斜視図である。ここでは、図１（２）と同様に、表示体１０がカートン２０の内壁と内容物２１との間に差し込むように取り付けられた例が示されている。
図３は、図１と図２の両方の状態の使用状態を可能とする一つの表示体を組み立てるためのブランクの展開図である。
図３のブランクは、板紙等を打ち抜いて形成されたもので、図のように折れ目線が二通りあり、４本の第１折れ目線のＡと４本の第２折れ目線のＢを有している。
図３に示す４本の第１折れ目線のＡを折り曲げて組み立てると、図１（１）上方のように正面板１ａに、側面板２ａ、背面板３ａ、側面板４ａが順番に連接し、上記の正面板１ａに繋げて、さらに正面板１ａの上辺に表示部５が連接されている四角筒状の表示体が形成される。ここでは、表示部５は正面板１ａの前側の斜め下方に向かって突出させた状態となっている。
図３に示す４本の第２折れ目線のＢを折り曲げて組み立てると、図１（２）上方のように正面板１ｂに、側面板２ｂ、背面板３ｂ、側面板４ｂが順番に連接し、上記の正面板１ｂに繋げて、さらに正面板１ｂの上辺に表示部５が連接されている四角筒状の表示体が形成される。ここでは、表示部５は正面板１ｂの前側の斜め下方に向かって突出させた状態となっている。
以上のように、４本の第１折れ目線のＡと、４本の第２折れ目線のＢのどちらかを選択し折り曲げることで、正面板に連接する表示部５の位置を変えずに四角筒状の状態が、図１（１）上方のような前後に短い状態の表示体と、図２（１）上方のような前後に長い状態の表示体とを自在に変えることができる。
ここで、図１（１）上方に示すように、正面板の側を前方として前後に短い状態にするために、前記表示体の四角筒状の外周方向の前記正面板の部分の長さをｙ、前記側面板の部分の長さをｘとし、前記正面板の両端と前記左右の側面板との間、および前記背面板の両端と前記左右の側面板との間に、設けられた４本の第１折れ目線Ａを有しており、また、前記正面板の側を前方とし前後に長い状態にするために、前記表示体の四角筒状の外周方向の前記正面板の部分の長さをｘ、前記側面板の部分の長さをｙとし、前記正面板の両端と前記左右の側面板との間、および前記背面板の両端と前記左右の側面板との間に、設けられた４本の第２折れ目線Ｂを有しているため、前記４本の第１折れ目線を用いて隣接する板が直角になるように折り曲げることにより前後方向に短い四角筒状となり、前記４本の第２折れ目線を用いて隣接する板が直角になるように折り曲げることにより、前後方向に長い四角筒状となる。
【００１１】
以上、本発明の実施の形態について詳細に説明してきたが、本発明による表示体は、上記実施の形態に何ら限定されるものでなはなく、本発明の趣旨を逸脱しない範囲において種々の変更が可能であることは当然のことである。
【００１２】
例えば、ＰＯＰ表示部を正面板の上辺に連接して設けた例を示したが、ＰＯＰ表示部を背面板の上辺に起立するように設けてもよい。
【符号の説明】
【００１３】
１ａ、１ｂ  …  正面板
２ａ、２ｂ  …  側面板
３ａ、３ｂ  …  背面板  
４ａ、４ｂ  …  側面板
５          …  表示部
１０        …  表示体
２０        …  内容物入りのカートン
２１        …  内容物
１００        …  カートンに取り付けられた表示体
Ａ          …  第１折れ目線
Ｂ          …  第２折れ目線
【図１】
2019005318.tif 000003
【図２】
2019005318.tif 000004
【図３】
2019005318.tif 000005